(57)【要約】【課題】特別な作業をしなくても、風呂蓋で浴槽に蓋をするだけで幼児が風呂蓋を持ち上げることができないようにすることを目的とする。【解決手段】本発明に係る風呂蓋は、平板状の風呂蓋において、前記風呂蓋の側端面に、前記側端面に対して横方向から掛けた力を上方向に逃がす端面処理が施されたことを特徴とする。【選択図】図２
2016093348.tif 000002
【特許請求の範囲】
【請求項１】
平板状の風呂蓋において、
前記風呂蓋の側端面に、前記側端面に対して横方向から掛けた力を上方向に逃がす端面処理が施されたことを特徴とする風呂蓋。
【請求項２】
前記端面処理は、前記側端面に対して横方向から掛けた力によって前記側端面に働く摩擦力を低下させる摩擦力低下処理としたことを特徴とする請求項１記載の風呂蓋。
【請求項３】
前記端面処理は、前記側端面に対して横方向から掛けた力が上方向に逃げるように前記側端面を傾斜させたことを特徴とする請求項１記載の風呂蓋。
【発明の詳細な説明】
【技術分野】
【０００１】
本発明は、浴槽の上を覆う風呂蓋に関する。
【背景技術】
【０００２】
従来から、２枚の平板状の風呂蓋の側端面を突き合わせることにより浴槽の上を覆うように構成した風呂蓋が知られている。しかし、従来の風呂蓋は、側端面が単に垂直面となるように形成された平板状の風呂蓋であり、背丈の低い幼児であっても、横から風呂蓋の洗い場側の側端面に力をかけ、風呂蓋を持ち上げることができるため、幼児のこうした行為によって、風呂蓋の位置がずれてしまう。したがって、例えば、幼児の親が気付かないうちに、幼児が浴室に入って風呂蓋の位置をずらしてしまい、その結果、風呂蓋が浴槽に滑り落ち、これによって浴槽に溜めた湯の温度がすぐに低下してしまうといった問題が生じる恐れがある。特許文献１（特開２０００−１０２４８７号公報）は、そのような問題点を解決するものであり、風呂蓋と浴槽を連結具で繋ぎ止めたり、吸盤の吸着力により風呂蓋を浴槽上縁面に固定する、などにより、風呂蓋を幼児が簡単に持ち上げられないようにしている。
【先行技術文献】
【特許文献】
【０００３】
【特許文献１】特開２０００−１０２４８７号公報
【発明の概要】
【発明が解決しようとする課題】
【０００４】
しかし、特許文献１で提案された方法では、改善の余地がある。例えば、風呂蓋と浴槽を連結具で繋ぎ止める方法だと、連結具を使うのを忘れてしまうことがある。また、吸盤を使用する方法だと、吸盤がしっかりと吸着力を発揮するように取り付けなければならず、さらに、吸着された風呂蓋を外すのは大人にとっても大きな力を要する。
そこで、本発明は、特別な作業をしなくても、風呂蓋で浴槽に蓋をするだけで幼児が風呂蓋を持ち上げることができないようにすることを目的とする。
【課題を解決するための手段】
【０００５】
上記した課題を解決するために、請求項１にかかる発明は、平板状の風呂蓋において、前記風呂蓋の側端面に、前記側端面に対して横方向から掛けた力を上方向に逃がす端面処理が施されたことを特徴とする。
【０００６】
この風呂蓋によれば、風呂蓋の側端面に指を掛けようとしても、側端面に横から掛ける力は上方向に逃げるので、幼児は持ち上げることができない。しかも、風呂蓋の側端面の形状あるいは滑り抵抗を変えるだけでよいので、風呂蓋で浴槽に蓋をする際に、特別な作業は必要ない。  したがって、特別な作業をせずに、風呂蓋を持ち上げることができないようにすることが可能となる。
なお、幼児の手が届かない領域に、指掛け部や把手を設けることによって、大人は容易に風呂蓋を持ち上げることが可能となる。
【０００７】
また、請求項２にかかる発明は、請求項１において、前記端面処理は、前記側端面に対して横方向から掛けた力によって前記側端面に働く摩擦力を低下させる摩擦力低下処理としたことを特徴とする。
【０００８】
この風呂蓋によれば、側端面の摩擦力が小さいので、風呂蓋の端面に指をかけようとしても滑ってしまうため、風呂蓋を持ち上げることができない。
【０００９】
また、請求項３にかかる発明は、請求項１において、前記端面処理は、前記側端面に対して横方向から掛けた力が上方向に逃げるように前記側端面を傾斜させたことを特徴とする。
【００１０】
この風呂蓋によれば、側端面が大きく傾斜しているので、風呂蓋の側端面に指をかけようとしても力が上向きに逃げるため、風呂蓋を持ち上げることができない。
【発明の効果】
【００１１】
本発明によれば、特別な作業をしなくても、風呂蓋で浴槽に蓋をするだけで幼児が風呂蓋を持ち上げることができないようにすることが可能となる。
【図面の簡単な説明】
【００１２】
【図１】本発明に係る風呂蓋を浴槽の上面に載置した状態を示す斜視図
【図２】図１の風呂蓋における洗い場側の端部の縦断面図。
【図３】変形例の風呂蓋における洗い場側の端部の縦断面図。
【図４】比較例の風呂蓋における洗い場側の端部の縦断面図。
【図５】図１の風呂蓋における把手の拡大縦断面図。
【発明を実施するための形態】
【００１３】
以下、本発明の実施の形態を図面に基づいて説明する。
【００１４】
図１は、本発明の第一の実施形態に係る風呂蓋１を浴槽５の上面に載置した状態を示す斜視図である。図２は、図１のＸ−Ｘ断面で切断した、本発明に係る風呂蓋１における洗い場側の端部の縦断面図である。
【００１５】
図１に示すように、本発明に係る風呂蓋１は、平板状、かつ、上面視で矩形状となるよう構成されている。湯が溜められる浴槽５の凹部９の全てを風呂蓋で覆う場合は、風呂蓋１と、図示は省略するが、風呂蓋１と全く同一の形状を有する風呂蓋を別途用意し、両者を浴槽５の長手方向に並ぶようにリム７の上面に載せ、それらの風呂蓋の相対する側端面を突き合わせて使用する。このように凹部９を覆うようにして浴槽５に蓋をすることで、浴槽内に溜められているお湯の保温をし、かつ湯気が浴室内に広がることを抑えることができる。
【００１６】
浴槽５には図示しない洗い場が隣接しており、風呂蓋１における洗い場側の側端面３は、図２に示すように、側面視で、洗い場側から浴槽側へ大きく上方傾斜するよう形成されている。このように、洗い場側の側端面３を大きく傾斜させることにより、例えば、図４に示すように、洗い場側にいる幼児が指をかけられるような指かけ部１１を持たない形状とすることができ、かつ、図２の矢印で示すように、幼児が指で横方向から側端面３に力をかけた場合であっても、側端面３の傾斜した面によってそのかけた力が上方向へ逃げるため、風呂蓋１を上方向へ持ち上げることができない。なお、指をかけることを困難にするという観点からすると、側端面３の傾斜角度（図２におけるθ１）は、４５度以上が望ましい。
【００１７】
また、風呂蓋１は、樹脂等で形成された面材２と、端面部材３を有している。端面部材３は、横長の板状部材であり、面材２における洗い場側の傾斜した端面４に接着剤等で貼り付けられている。端面部材３は、やわらかく摩擦力の高いポリオレフィン等の樹脂ではなく、ポリプロピレンや塩化ビニル等の硬質の樹脂やアルミニウムやステンレス等の金属など、摩擦力の低い材料から形成されている。また、端面部材３の表面は、ざらつきの小さい平滑な面になるよう形成されている。したがって、幼児が端面部材３の洗い場側の端面（側端面３）に指をかけようとしても、側端面３の摩擦力が低いため、指が滑りやすくなる。したがって、より確実に側端面３に指をかけられないようにすることができる。
【００１８】
なお、図１に示すように、風呂蓋１の中央には、洗い場にいる幼児の手が届かないところに把手１３を設けている。図５は把手１３の縦断面図であり、図５に示すように、把手１３は、Ｌ字状の空間２３を有する樹脂成形品を面材２に埋め込んで構成されている。把手１３を風呂蓋１の中央や洗い場側とは反対側の端部など、幼児の手が届かないところに設けることで、本実施形態のように風呂蓋１の側端面３を傾斜させたとしても、大人（幼児の親など）はリム７に載置した風呂蓋１を把手１３を利用して容易に持ち上げることができる。
【００１９】
続いて、図３に基づき、本発明の第二の実施形態に係る風呂蓋１５について説明する。なお、第一の実施形態と同様の構成については説明を省略する。図３に示すように風呂蓋１５は、側端面２１の傾斜角度（図３のθ２）を比較的小さく構成しているものである。具体的には、傾斜角度θ２を１５度にしている。このように傾斜角度が比較的小さいも風呂蓋においては、側端面２１に横方向から力をかけた際には、力が上方向に逃げづらい。したがって、面材１７の洗い場側の端面１８に貼り付けた端面部材１９を形成する材料を、上述したような摩擦力の低い材料（ポリプロピレン、塩化ビニル、アルミニウム、ステンレスなど）から形成し、かつ、表面を平滑にする（摩擦力低下処理）ことで、横方向からかかる力をより上方向に逃がしやすくすることができ、幼児が風呂蓋２１に指をかけづらくすることができる。
【符号の説明】
【００２０】
１ …  風呂蓋
２、１７…  面材
３、２１…  側端面
６、１９…  端面部材
７ …  リブ
１３…  把手
【図１】
2016093348.tif 000003
【図２】
2016093348.tif 000004
【図３】
2016093348.tif 000005
【図４】
2016093348.tif 000006
【図５】
2016093348.tif 000007